(57)【特許請求の範囲】
【請求項１】
扉の閉じ時の速度を低下させる開き戸のソフトクローズ機構であって、扉の上端面に平面視くの字型のリンク部材を垂直軸回りに回動自在に枢着し、扉枠側に、扉の所定開閉角度以下で上記リンク部材の一方の先端部に当接することでリンク部材の他方の先端部を扉枠側に向けて突出させるトリガー手段と、上記リンク部材の突出した他方の先端部を扉枠内に引き込むための緩衝機能を有する引き込み機構部とを設け、上記引き込み機構部は、扉枠の前後方向にスライド移動自在とされ且つ前進位置で上記リンク部材の突出した他方の先端部が着脱可能に係合するキャッチ部材と、上記キャッチ部材を後方に向かって常時付勢する付勢手段とを備え、扉の所定開閉角度以下ではリンク部材の突出した他方の先端部がキャッチ部材と係合して付勢手段により後方に引き込まれるソフトクローズ区間となり、扉が上記所定開閉角度よりも開かれたときは上記リンク部材の突出した他方の先端部がキャッチ部材から離脱して開閉フリー区間となることを特徴とする開き戸のソフトクローズ機構。
【請求項２】
上記扉は、上記開閉フリー区間においてリンク部材全体が扉の外部に突出しないように保持するストッパー手段を備えていることを特徴とする請求項１記載の開き戸のソフトクローズ機構。
【発明の詳細な説明】
【技術分野】
【０００１】
本発明は、開き戸の扉の閉じ時の速度を低下させるソフトクローズ機構に関するものである。
【背景技術】
【０００２】
従来より、ドアを閉じる方向に付勢するドアクローザーを取り付け、ドアの開閉角度が約８０度以下では自動的に閉まる仕様の開き戸が知られている（例えば、特許文献１参照）。しかしながらこの種のドアクローザー付き開き戸では、ドアクローザーの付勢力に抗してドアを開き操作しなければならず、ドアの操作力が増加するという問題があり、しかも、ドアクローザーを構成する機構部品が外部に露出して意匠性の悪化を招くという問題や、更にはペットの出入りや通風のためにドアを開けての使用に対応し難いという問題もあった。
【０００３】
そこで従来より、図７に示すように、扉枠３の蝶番３０に近い側にピン部材５０を突設し、一方、扉２に、緩衝機能５１を有する引き込み機構部６０と、上記緩衝機能５１に引き込み方向に往復移動可能に連結し且つ上記ピン部材５０と着脱する係合部６１を有するスライダー部材５２と、上記引き込み機構部６０の引き込み力に抗してスライダー部材５２をその係合部６１がピン部材５０を受け入れ可能な姿勢を保持した状態（図７（ａ））でロックすると共に、扉２の閉止方向の回動によってピン部材５０が係合部６１に係止した時（図７（ｂ））にロックを解くようにしたロック溝５３とをそれぞれ設けたソフトクローズ機構４´が知られている（例えば、特許文献２参照）。
【０００４】
ところが、上記特許文献２の従来のソフトクローズ機構４´では、扉２に、係合部６１を有するスライダー部材５２、ロック溝５３、緩衝機能５１を有する引き込み機構部６０をそれぞれ設置する必要があるため、扉２の構造が複雑となって外観意匠性が損なわれるという課題があり、さらにソフトクローズ機構４´の大半の機構部品の質量が扉２に加わることによって扉２の重量が大きくなり、開閉操作力が増大してしまうという課題、さらには扉２を閉じる際に扉２が自重によって勢い良く閉じてしまい、閉じ時の衝撃が大きくなると共に安全性が損なわれるといった課題を有していた。
【特許文献１】実用新案登録第２６０６４６５号公報
【特許文献２】特開２００７−３０８８８８号公報
【発明の開示】
【発明が解決しようとする課題】
【０００５】
本発明は上記の従来の問題点に鑑みて発明したものであって、扉を簡単な構造にできて軽量化による操作性向上を図ることができ、扉のソフトクローズ時の安全性と静音性を改善できると共に扉の外観意匠性を向上させることができる開き戸のソフトクローズ機構を提供することを課題とし、さらに、上記所定開閉角度よりも開かれたときは扉を単独で開閉フリーにすることができ、さらに、開閉フリー区間においては扉の外観意匠性を一層向上させることができる開き戸のソフトクローズ機構を提供することを課題とするものである。
【課題を解決するための手段】
【０００６】
前記課題を解決するために本発明は、扉２の閉じ時の速度を低下させる開き戸のソフトクローズ機構であって、扉２の上端面２ａに平面視くの字型のリンク部材５を垂直軸回りに回動自在に枢着し、扉枠３側に、扉２の所定開閉角度θ以下で上記リンク部材５の一方の先端部１１ａに当接することでリンク部材５の他方の先端部１２ａを扉枠３側に向けて突出させるトリガー手段６と、上記リンク部材５の突出した他方の先端部１２ａを扉枠３内に引き込むための緩衝機能８を有する引き込み機構部７とを設け、上記引き込み機構部７は、扉枠３の前後方向にスライド移動自在とされると共に前進位置では上記リンク部材５の突出した他方の先端部１２ａが着脱可能に係合するキャッチ部材２０と、上記キャッチ部材２０を後方Ｂに向かって常時付勢する付勢手段２２とを備え、扉２の所定開閉角度θ以下ではリンク部材５の突出した他方の先端部１２ａがキャッチ部材２０と係合して付勢手段２２により後方Ｂに引き込まれるソフトクローズ区間Ｅとなり、扉２が上記所定開閉角度θよりも開かれたときは上記リンク部材５の突出した他方の先端部１２ａがキャッチ部材２０から離脱して開閉フリー区間Ｄとなることを特徴としている。
【０００７】
このような構成とすることで、リンク部材５を平面視くの字型に形成することで、トリガー手段６にリンク部材５の一方の先端部１１ａが当接したときにはその反動で突出するリンク部材５の他方の先端部１２ａの突出量を大きく確保でき、扉枠３側に設けた引き込み機構部７への引き込み動作が確実にできるようになる。しかも、リンク部材５を扉２に対して回動自在に枢着するだけでよいので、扉２を簡単な構造にできて軽量化によるソフトクローズ時の安全性と静音性を向上させることができ、そのうえリンク部材５以外の他の機構部品は扉枠３内に納めることができるので、外部からソフトクローズ機構４の機構部品がほとんど見えないようにでき、良好な外観を呈するようになる。また、扉２の所定開閉角度θを境にして扉２の引き込まれるソフトクローズ区間Ｅと開閉フリー区間Ｄとに切り替えることが可能となる。
【０００９】
また、上記扉２は、上記開閉フリー区間Ｄにおいてリンク部材５全体が扉２の外部に突出しないように保持するストッパー手段９を備えているのが好ましく、この場合、扉２を開閉フリーになったときにリンク部材５を扉２の外部に突出しないように納まりよく保持できるので、外観を一層向上させることができる。
【発明の効果】
【００１０】
本発明は、引き込み機構部によるリンク部材の引き込み動作によってソフトクローズを実現できる効果に加えて、リンク部材を扉の上端面に回動自在に枢着するだけで済むので、扉の軽量化による安全性、静音性をそれぞれ改善できると共に扉の外観意匠性を向上させることができる。
【００１１】
また本発明は、扉の所定開閉角度以上では開閉フリー区間となるので、ペットの出入りや通風のために扉を開けての使用にも対応できるものとなる。
【００１２】
さらに本発明は、扉の開閉フリー区間においてリンク部材全体が外部に突出しないように納まりよく保持できるので、扉の外観意匠性を大幅に向上させることができる。
【発明を実施するための最良の形態】
【００１３】
以下、本発明を添付図面に示す実施形態に基いて説明する。
【００１４】
図１、図２は本発明の一実施形態を説明するソフトクローズ機構４の説明図であり、図３は同上の開き戸１の開閉フリー区間Ｄとソフトクローズ区間Ｅとを説明する平面図であり、図４は開き戸全体の斜視図であり、図５、図６は同上のソフトクローズ機構４の動作説明図である。
【００１５】
本発明のソフトクローズ機構４は、リンク部材５と、トリガー手段６と、緩衝機能８を有する引き込み機構部７とで主体が構成されている。
【００１６】
図１に示すように、リンク部材５は、平面視くの字型に曲げ形成されている。本例では、短尺リンク片１１と長尺リンク片１２とがくの字型に屈曲した屈曲部を介して一体形成されており、屈曲部は扉２の戸尻側（蝶番３０側）寄りに設けた回動軸１０により垂直軸回りに回動自在に垂直されていると共に、短尺リンク片１１はその先端部が扉２の戸尻からはみ出さないように短く形成され、長尺リンク片１２はその先端部が扉２の中央部付近まで達する程度に長く形成されている。
【００１７】
上記リンク部材５の回動軸１０には、リンク部材５全体を一方向（図示例では、上面から見て反時計回り方向）に付勢するひねりバネ９ｂが装着されており、さらに、扉２の上端面２ａの中央部側には、ひねりバネ９ｂによるリンク部材５の回転を規制するストッパー手段９であるストッパーピン９ａが突設されている。ストッパーピン９ａは、扉２の閉止時（図５）において後述のガイド部材１５と干渉しない位置に突設されている。
【００１８】
一方、扉枠３には、図２に示すように、トリガー手段６と、緩衝機能８を有する引き込み機構部７とがそれぞれ設けられている。
【００１９】
先ず、トリガー手段６は、扉２の所定開閉角度θ以下でリンク部材５の短尺リンク片１１に当接し、その反動でリンク部材５の長尺リンク片１２の先端部１２ａを扉枠３側に向けて突出させるためのものであり、本例では、扉枠３の上側枠部の下面（以下、「扉枠面３ａ」と略称する。）に設けたトリガーガイド１３で構成されている。トリガーガイド１３は扉枠３の蝶番３０側寄りの扉枠面３ａにおいて前方Ｃに開口するＵ字溝１３ａとその前端から横方向に突出する前端リブ１３ｂとで構成されている。前端リブ１３ｂは、リンク部材５の短尺リンク片１１の先端部１１ａに対向配置されている。Ｕ字溝１３ａは、扉２の閉止状態で短尺リンク片１１の先端部１１ａを逃がすようにする。
【００２０】
扉枠面３ａに設けられる引き込み機構部７は、リンク部材５の長尺リンク片１２を扉枠３に向かって引き込むためのものであり、図２に示すように、ガイド部材１５、ロック手段であるロック溝１７、キャッチ部材２０、回動アーム２１、付勢手段２２であるスプリング２２ａ等で構成される。
【００２１】
先ず、ガイド部材１５は、扉枠面３ａの中央部側に取り付けられ、扉枠３の前後方向Ｂ,Ｃに向かって第１のガイド溝１６と第２のガイド溝１８とが互いに並行して形成されている。第１のガイド溝１６の前端部は第２のガイド溝１８の前端部よりも前方Ｃに突出していると共に、その突出部分はＬ字状に屈曲したロック溝１７となっている。
【００２２】
キャッチ部材２０は、上記ガイド部材１５の第１のガイド溝１６に沿ってスライド走行自在にガイドされている。キャッチ部材２０の先端には、コ字形に開口したキャッチ面２０ａが形成されている。キャッチ部材２０の中央側には、ガイド部材１５の第１のガイド溝１６に沿ってスライド自在な前後一対のガイド軸２０ｂ、２０ｃが突設されていると共に、前側ガイド軸２０ｂだけが上記ロック溝１７に進入可能となっている。さらにキャッチ部材２０の後端側からは連結軸２０ｄが突設され、この連結軸２０ｄはガイド部材１５の第２のガイド溝１８を貫通して、回動アーム２１の前側片２１ｂに連結されている。
【００２３】
回動アーム２１は平面視Ｖ字型をしており、中央屈曲部２１ａがガイド部材１５の一側方の扉枠面３ａに回転自在に枢着されている。ここで、「ガイド部材１５の一側方」とは、ガイド部材１５から見て扉枠３の蝶番３０側の方向を指すものとする。本例では、回動アーム２１の前側片２１ｂに長孔２１ｃが形成され、この長孔２１ｃ内に上記キャッチ部材２０の連結軸２０ｄがスライド自在に嵌合しており、長孔２１ｃによって、キャッチ部材２０の連結軸２０ｄの第２のガイド溝１８に沿う直進運動が回動アーム２１の回転運動に変換されるようになっている。
【００２４】
上記回動アーム２１は、スプリング２２ａによって屈曲部２１ａを支点にして後方Ｂに向かって常に付勢されている。本例では、スプリング２２ａの一端２２ｂが回動アーム２１の後側片２１ｄに連結され、スプリング２２ａの他端２２ｃがガイド部材１５の一側方の扉枠面３ａに支承部２２ｄに引っ掛けられており、回動アーム２１の後側片２１ｄを常に引っ張る方向に付勢している。
【００２５】
さらに、上記回動アーム２１には、上記キャッチ部材２０の引き込み速度を低下させる緩衝機能８を構成するダンパー２３が連結されている。ダンパー２３のシリンダー部２３ｂはガイド部材１５の一側方の扉枠面３ａの支持軸部２３ｃに首振り自在に固定されていると共に、ダンパー２３のシリンダー部２３ｂから突出するピストンロッド２３ａが上記回動アーム２１の後側片２１ｄ側に連結されており、回動アーム２１の後側片２１ｄを上記スプリング２２ａの付勢方向と反対方向に向かって常時付勢している。なおダンパー２３のシリンダー部２３ｂ内には、ピストンロッド２３ａの移動に抵抗力を発生させる流体（図示せず）と、該ピストンロッド２３ａを突出方向に常時姿勢に付勢するバネ（図示せず）とが設けられ、該バネの力は、上記スプリング２２ａの付勢力よりも小さく設定されており、これにより、キャッチ部材２０の引き込み動作に抵抗が付与されるようになっている。
【００２６】
次に扉２の開閉動作を説明する。
【００２７】
図３に示す扉２が所定開閉角度θ（約１０度）以上の開閉フリー区間Ｄにあるときは、図１に示すように、キャッチ部材２０の前側ガイド軸２０ｂがガイド部材１５のロック溝１７に係入しており、これによりスプリング２２ａの付勢力に抗してキャッチ部材２０は前方スライド位置でロックされている。このロック状態ではキャッチ部材２０のキャッチ面２０ａがリンク部材５の短尺リンク片１１の先端部１１ａを受け入れ可能な前向き姿勢で保持されている。
【００２８】
開いた扉２を図３に示す約２０度近辺の位置（θ１）まで閉じると、図５に示すように、リンク部材５の短尺リンク片１１の先端部１１ａがトリガーガイド１３の前端リブ１３ｂに当接し、その反動でリンク部材５が回動軸１０を中心に回転して長尺リンク片１２の先端部１２ａが扉枠３側に向かって突出して、キャッチ部材２０のキャッチ面２０ａに衝突する。このとき長尺リンク片１２の先端部１２ａがキャッチ部材２０を後方Ｂに押圧することで、キャッチ部材２０の前側ガイド軸２０ｂがロック溝１７から第１のガイド溝１６に抜けてキャッチ部材２０のロックが解除されると同時に、キャッチ部材２０が回動してキャッチ面２０ａの向きが前向きから横向きとなって長尺リンク片１２の先端部１２ａと係合した状態となる。この係合状態で、スプリング２２ａによって引っ張られている回動アーム２１の回動によって長尺リンク片１２の先端部１２ａとキャッチ部材２０とが一体に後方Ｂに引き込まれていくと共に、回動アーム２１の後側片２１ｄに連結されているダンパー２３のピストンロッド２３ａが縮むことによって、長尺リンク片１２の引き込み速度が制動され、扉２はゆっくりと静かに閉止される。即ち、扉２が手で勢い良く閉じられた際にも、自動的にソフトクローズする仕様となる。さらに、扉２の閉止状態では、図６のように短尺リンク片１１の先端部１１ａがトリガーガイド１３のＵ字溝１３ａ内部に逃がされるので、リンク部材５が扉２を押し開くようなことがなく、扉２は閉止状態で保持される。
【００２９】
一方、扉２を手で開くと、ソフトクローズ区間Ｅ内では図６→図５のように長尺リンク片１２が引っ張られてキャッチ部材２０が前方Ｃにスライド移動し、所定開閉角度θ（約１０度）近辺まで開かれると、キャッチ部材２０の前側ガイド軸２０ｂが第１のガイド溝１６からロック溝１７へ進入して、キャッチ部材２０がスプリング２２ａの付勢力に抗してロック状態となり、これと同時にキャッチ部材２０が回動してキャッチ面２０ａが前向きに戻ることによって、長尺リンク片１２の先端部１２ａがキャッチ面１２ａから離脱する。これにより扉２はソフトクローズしない開閉フリー区間Ｄ（約１０度〜９０度）となる。
【００３０】
しかして上記構成によれば、扉枠３側に、トリガーガイド１３と、引き込み機構部７（ロック溝１７付きガイド部材１５、キャッチ部材２０、回動アーム２１、スプリング２２ａ）と、緩衝機能８であるダンパー２３とをそれぞれ設けたことによって、扉２にはリンク部材５を回動自在に枢着するだけでよいので、扉２の構造の簡素化、軽量化による操作性の向上を図ることができる。また、リンク部材５を平面視くの字型に形成することで、トリガー手段６に対してリンク部材５の一方の先端部１１ａが当接したときにリンク部材５の他方の先端部１２ａの突出量を大きく確保でき、引き込み機構部７への引き込み動作が確実にできるものである。そのうえ、扉２が所定開閉角度θ（約１０度）以上に開かれると開閉フリー区間Ｄとなるので、ペットの出入りや通風のために扉２を開けての使用にも対応できるものとなる。
【００３１】
また、本例では開閉フリー区間Ｄ中においては、ひねりバネ９ｂとストッパーピン９ａとによって扉２内にリンク部材５全体が隠れるようになり、外部からリンク部材５を見えなくでき、扉２の外観意匠性が一段と向上する。
【００３２】
なお本発明のソフトクローズ機構４は、マンションや戸建て住宅などの建物における出入口に開閉自在に設けられる開き戸に限らず、例えばシステムキッチンの開き戸の分野にも広く実施可能である。
【図面の簡単な説明】
【００３３】
【図１】本発明の一実施形態を説明するソフトクローズ機構の説明図である。
【図２】同上の引き込み機構部を説明する拡大図である。
【図３】同上の開き戸の開閉フリー区間とソフトクローズ区間とを説明する平面図である。
【図４】同上の開き戸全体の斜視図である。
【図５】同上の開閉フリー区間においてリンク部材の短尺リンク片１１の先端部がトリガーガイドに当接した状態を示す動作説明図である。
【図６】同上の扉の閉止状態の説明図である。
【図７】従来のソフトクローズ機構の説明図である。
【符号の説明】
【００３４】
１  開き戸
２  扉
３  扉枠
４  ソフトクローズ機構
５  リンク部材
６  トリガー手段
７  引き込み機構部
８  緩衝機能
９  ストッパー手段
１１  短尺リンク片１１
１１ａ  一方の先端部
１２  長尺リンク片１２
１２ａ  他方の先端部
Ａ  扉の長さ方向
Ｂ  後方
Ｃ  前方
Ｄ  開閉フリー区間
Ｅ  ソフトクローズ区間
θ  所定開閉角度
【図１】
0005237650.tif 000002
【図２】
0005237650.tif 000003
【図３】
0005237650.tif 000004
【図４】
0005237650.tif 000005
【図５】
0005237650.tif 000006
【図６】
0005237650.tif 000007
【図７】
0005237650.tif 000008